(57)【要約】      （修正有）【課題】室内から内障子のガラスを透して網戸の網戸縦框が見えないと共に、外障子の戸当り框の外側部と閉鎖位置の内障子の召合せ框の外側部との間の段差を大きくできるようにした網戸付き引違い窓とする。【解決手段】網戸４を内障子２と対向した閉じ位置とした時に、左右一方の網戸縦框４２の内側部４２ａが内障子２の戸当り框２３の内側部２３ａよりも外側位置で、左右他方の網戸縦框４３の内側部４３ａが外障子３の召合せ框３２の外側部３２ａよりも内側位置となるようにし、内障子２のガラス２４を透して左右の網戸縦框４２，４３が見えないようにすると共に、外障子３が開放位置で網戸４が左右他方の閉じ位置の時に、左右一方の縦気密材４５が外障子３の戸当り框３３の室外側面３３ａに接した時に、外障子３の戸当り框３３の外側部と閉鎖位置の内障子２の召合せ框２２の外側部との間の段差を大きくできるようにした網戸付き引違い窓。【選択図】図２
2007204927.tif 000002
【特許請求の範囲】
【請求項１】
窓枠に内障子と外障子を、閉鎖位置と開放位置とに亘って左右方向に摺動自在にそれぞれ装着し、
前記窓枠の外障子よりも室外側に網戸を、左右一方の閉じ位置と左右他方の閉じ位置とに亘って左右方向に摺動自在に装着し、
前記内障子と外障子がそれぞれ閉鎖位置で、かつ前記網戸が内障子と対向した左右一方の閉じ位置の状態において、前記網戸の左右一方の網戸縦框の内側部が内障子の戸当り框の内側部よりも外側位置で、前記網戸の左右他方の網戸縦框の内側部が外障子の召し合せ框の外側部よりも内側位置となるようにし、
前記網戸の左右一方の網戸縦框、左右他方の網戸縦框に左右一方の縦気密材、左右他方の縦気密材を室内側に向けてそれぞれ取付け、
外障子が閉塞位置で網戸が左右一方の閉じ位置の時に、前記左右他方の縦気密材が外障子の召し合せ框の室外側面に接するようにし、
外障子が開放位置で網戸が左右他方の閉じ位置の時に、前記左右一方の縦気密材が外障子の戸当り框の室外側面に接するようにし、
前記左右一方の縦気密材を、左右一方の網戸縦框の内側部寄りに取付けたことを特徴とする網戸付き引違い窓。
【請求項２】
内障子が閉鎖位置で、外障子が開放位置の時に、内障子の戸当り框と外障子の召合せ框との間を気密する気密材を設けた請求項１記載の網戸付き引違い窓。
【請求項３】
左右一方の網戸縦框を、本体の見付け方向一端面に、見付け方向に突出した内向片を有すると共に、この内向片の突出方向中間部に鉤片を見込み方向一方に向けて有し、この鉤片と本体の見付け方向一端面とで見込み方向一方に開口した防虫網取付用溝を形成し、前記内向片の突出端部寄りに見込み方向他方に開口した気密材取付用溝を有するものとした請求項１又は２記載の網戸付き引違い窓。
【発明の詳細な説明】
【技術分野】
【０００１】
本発明は、窓枠に内障子と外障子を摺動自在に装着すると共に、その外障子よりも室外側に網戸を摺動自在に装着し、建物の開口部などに取付けられる網戸付き引違い窓に関する。
【背景技術】
【０００２】
従来から網戸付き引違い窓は種々提案されている。
例えば、特許文献１に開示された網戸付き引違い窓が知られている。
この網戸付き引違い窓は、窓枠に内障子と外障子を左右方向に摺動自在に装着すると共に、その外障子よりも室外側に網戸を左右方向に摺動自在に装着し、内障子を左右一方に摺動して開放位置とした時に網戸を左右他方に摺動して閉じ位置とすることで窓枠の開放部分を閉塞して防虫し、外障子を左右他方に摺動して開放位置とした時に網戸を左右一方に摺動して閉じ位置とすることで窓枠の開放部分を閉塞して防虫することができるようにしてある。
【０００３】
【特許文献１】特開２００２−２４２５６２号公報
【発明の開示】
【発明が解決しようとする課題】
【０００４】
前述した従来の網戸付き引違い窓は、内障子と外障子を閉鎖位置とすると共に、網戸を内障子と対向した閉じ位置とした時に、内障子のガラスを透して網戸の網戸縦框が室内から目視されるので、内観の見栄えが悪い。
特に、内障子の框の内観を木調などの見栄えの良いものとし、網戸縦框をアルミ製とした場合には、内障子のガラスを透してアルミ製の網戸縦框が目視されるので、内障子の框の内観を見栄え良くしたにもかかわらず網戸縦框のために網戸付き引違い窓全体の内観が見栄え悪くなってしまう。
【０００５】
本発明の目的は、内障子と外障子を閉鎖位置とすると共に、網戸を内障子と対向した閉じ位置とした時に、室内から内障子のガラスを透して網戸縦框が見えないようにした網戸付き引違い窓を提供することである。
【課題を解決するための手段】
【０００６】
本発明は、窓枠に内障子と外障子を、閉鎖位置と開放位置とに亘って左右方向に摺動自在にそれぞれ装着し、
前記窓枠の外障子よりも室外側に網戸を、左右一方の閉じ位置と左右他方の閉じ位置とに亘って左右方向に摺動自在に装着し、
前記内障子と外障子がそれぞれ閉鎖位置で、かつ前記網戸が内障子と対向した左右一方の閉じ位置の状態において、前記網戸の左右一方の網戸縦框の内側部が内障子の戸当り框の内側部よりも外側位置で、前記網戸の左右他方の網戸縦框の内側部が外障子の召し合せ框の外側部よりも内側位置となるようにし、
前記網戸の左右一方の網戸縦框、左右他方の網戸縦框に左右一方の縦気密材、左右他方の縦気密材を室内側に向けてそれぞれ取付け、
外障子が閉塞位置で網戸が左右一方の閉じ位置の時に、前記左右他方の縦気密材が外障子の召し合せ框の室外側面に接するようにし、
外障子が開放位置で網戸が左右他方の閉じ位置の時に、前記左右一方の縦気密材が外障子の戸当り框の室外側面に接するようにし、
前記左右一方の縦気密材を、左右一方の網戸縦框の内側部寄りに取付けたことを特徴とする網戸付き引違い窓である。
【０００７】
本発明においては、内障子が閉鎖位置で外障子が開放位置の時に、内障子の戸当り框と外障子の召合せ框との間を気密する気密材を設けることが好ましい。
【０００８】
このようにすれば、閉鎖位置の内障子と開放位置の外障子との間から虫が侵入することを防止できる。
【０００９】
本発明においては、左右一方の網戸縦框を、本体の見付け方向一端面に、見付け方向に突出した内向片を有すると共に、この内向片の突出方向中間部に鉤片を見込み方向一方に向けて有し、この鉤片と本体の見付け方向一端面とで見込み方向一方に開口した防虫網取付用溝を形成し、前記内向片の突出端部寄りに見込み方向他方に開口した気密材取付用溝を有するものとすることができる。
【００１０】
このようにすれば、気密材取付用溝に左右一方の縦気密材を取付けることで、その左右一方の縦気密材を左右一方の網戸縦框の内側部寄りに簡単に取付けできる。
【発明の効果】
【００１１】
本発明によれば、内障子と外障子をそれぞれ閉鎖位置とすると共に、網戸を内障子と対向した同じ位置とした時に、左右一方の網戸縦框が内障子の戸当り框で覆われると共に、左右他方の網戸縦框が外障子の召合せ框で覆われることになるので、室内から内障子のガラスを透して左右の網戸縦框が見えない。
したがって、内観の見栄えの良い網戸付き引違い窓である。
また、左右一方の縦気密材を、左右一方の網戸縦框の内側部寄りに取付けてあるので、外障子が開放位置で左右一方の縦気密材が外障子の戸当り框の室外側面に接した時に、外障子の戸当り框の外側部と閉鎖位置の内障子の召合せ框の外側部との間の段差を大きくできる。
したがって、外障子の戸当り框の室内側面にハンドルを取付け、そのハンドルを持って外障子を開閉するようにした時に、そのハンドルが内障子の召合せ框の外側部に干渉しないようにできる。
【発明を実施するための最良の形態】
【００１２】
図１と図２に示すように、窓枠１に内障子２と外障子３が左右方向に摺動自在に装着してある。例えば、窓枠１の室内側部分に内障子２が閉鎖位置と開放位置とに亘って左右方向に摺動自在に装着してあると共に、窓枠１の室外側部分に外障子３が閉鎖位置と開放位置とに亘って左右方向に摺動自在に装着してある。
前記窓枠１の外障子３よりも室外側部分に網戸４が摺動自在に装着してある。例えば、左右の閉じ位置に亘って摺動自在に装着してある。
【００１３】
前記窓枠１は、上枠１０と下枠１１と左右一方の縦枠１２と左右他方の縦枠１３を方形状に連結してある。
前記上枠１０は、内障子上ガイド部１０ａ、外障子上ガイド部１０ｂ、網戸上ガイド部１０ｃを備えている。
前記下枠１１は、内障子下ガイド部１１ａ、外障子下ガイド部１１ｂ、網戸下ガイド部１１ｃを備えている。
前記内障子２、外障子３は、上框２０，３０と下框２１，３１と召合せ框２２，３２と戸当り框２３，３３を方形状に連結し、その内部にガラス２４，３４を取付けたガラス障子である。
前記網戸４は、網戸上框４０、網戸下框４１、左右一方の網戸縦框４２、左右他方の網戸縦框４３を方形状に連結し、その内部に防虫網４４が張設してある。
【００１４】
前記内障子２は図２に示すように、その戸当り框２３が左右一方の縦枠１２に接することで閉鎖位置となると共に、左右他方の縦枠１３に向けて摺動することで開放位置となり、戸当り框２３と左右一方の縦枠１２との間の部分が開放する。
前記外障子３は図２に示すように、その戸当り框３３が左右他方の縦枠１３に接することで閉鎖位置となると共に、左右一方の縦枠１２に向けて摺動することで開放位置となり、戸当り框３３と左右他方の縦枠１３との間の部分が開放する。
前記網戸４は図２に示すように、左右一方の網戸縦框４２が左右一方の縦枠１２に接した左右一方の閉じ位置と、左右他方の網戸縦框４３が左右他方の縦枠１３に接した左右他方の閉じ位置とに亘って左右方向に摺動自在である。
【００１５】
前記網戸上框４０の下部４０ａは図１に示すように各上框２０，３０の下部２０ａ，３０ａよりも上に位置し、室内から網戸上框４０は目視されない。
前記網戸下框４１の上部４１ａは図１に示すように各下框２１，３１の上部２１ａ，３１ａよりも下に位置し、室内から網戸下框４１は目視されない。
前記内障子２と外障子３を閉鎖位置とすると共に、網戸４を内障子２と対向した閉じ位置（つまり、前述の左右一方の閉じ位置）とした時に、左右一方の網戸縦框４２の内側部４２ａ（つまり、左右他方の網戸縦框４３と対向する部分）は内障子２の戸当り框２３の内側部２３ａ（つまり、召合せ框２２と対向した部分）よりも外側（つまり、一方の縦枠１２側）に位置し、室内から内障子２のガラス２４を透して左右一方の網戸縦框４２が見えないようにしてある。
【００１６】
また、左右他方の網戸縦框４３の内側部４３ａ（左右一方の網戸縦框４２と対向した部分）は、外障子３の召合せ框３２の外側部３２ａ（つまり、戸当り框３３と対向する部分と見付け方向に反対で、一方の縦枠１２と対向した部分）よりも内側（つまり、左右他方の縦枠１３側）に位置し、室内から内障子２のガラス２４を透して左右他方の網戸縦框４３が見えないようにしてある。
好ましくは、左右他方の網戸縦框４３の左右寸法（見付け寸法）は外障子３の召合せ框３２の左右寸法（見付け寸法）よりも小さく、その網戸縦框４３の外側部４３ｂ（左右他方の縦枠１３と対向した部分）は召合せ框３２の内側部３２ｂ（戸当り框３３と対向した部分）よりも外側（一方の縦枠１２側）に位置し、外障子３のガラス３４を透して左右他方の網戸縦框４３が目視されないようにしてある。つまり、外障子３を閉じ位置とし、網戸４を左右一方の閉じ位置とした時に左右他方の網戸縦框４３が外障子３の召合せ框３２の見付け幅内に納まるようにしてある。
【００１７】
図２に示すように、網戸４が左右一方の閉じ位置の時には、左右一方の網戸縦框４２（縦溝４２ｂに設けたブロック４２ｃ）が左右一方の縦枠１２（室外側内向片１２ａ）に接して両者の間を気密する。
前記左右一方の網戸縦框４２における内側部４２ａ寄りに左右一方の縦気密材４５が室内側に向けて装着してある。
前記左右他方の網戸縦框４３における内側部４３ａ寄りに左右他方の縦気密材４６が室内側に向けて装着してある。これらの縦気密材４５，４６としてはモヘヤが用いられるが、他の気密材を用いても良い。
この左右他方の縦気密材４６が閉鎖位置の外障子３の召合せ框３２の室外側面３２ｃに接する。
【００１８】
このようであるから、図３に示すように内障子２を左右他方に摺動して開放位置として左右一方の縦枠１２と内障子２の戸当り框２３との間の部分を開放した時に、その開放部から虫が入り込むことを網戸４で確実に防止できる。
【００１９】
図４に示すように、網戸４を左右他方に摺動して左右他方の閉じ位置とした時には、左右他方の網戸縦框４３（縦溝４３ｃに設けたブロック４３ｄ）が左右他方の縦枠１３（室外側内向片１３ａ）に接して両者の間を気密する。左右一方の縦気密材４５が外障子３の召合せ框３２の室外側面３２ｃに接して気密する。
このように、内障子２と外障子３を閉鎖位置とし、網戸４を外障子４と対向した閉じ位置（前述の左右の他方の閉じ位置）とした状態で、左右一方の網戸縦框４２の内側部４２ａは外障子３の召合せ框３２の内側部３２ｂよりも外側（つまり、左右一方の縦枠１２側）に位置し、左右他方の網戸縦框４３の内側部４３ａは外障子３の戸当り框３３の内側部３３ｄ（召合せ框３２と対向した部分）よりも外側（つまり、左右他方の縦枠１３側）に位置している。
したがって、外障子３のガラス３４を透して室内から左右の網戸縦框４２，４３が見えない。
好ましくは、左右一方の網戸縦框４２の左右寸法（見付け寸法）は外障子３の召合せ框３２の左右寸法（見付け寸法）よりも小さく、その網戸縦框４２の外側部４２ａ（左右一方の縦枠１２と対向した部分）は召合せ框３２の外側部３２ａよりも内側（他方の縦枠１３側）に位置し、内障子２のガラス２４を透して左右一方の網戸縦框４２が目視されないようにしてある。つまり、外障子３を閉じ位置とし、網戸４を左右他方の閉じ位置とした時に左右一方の網戸縦框４２が外障子３の召合せ框３２の見付け幅内に納まるようにしてある。
【００２０】
図４に示す状態で外障子３を左右一方に向けて摺動して左右他方の縦枠１３と外障子３の戸当り框３３との間を開放することで、図５に示すように外障子３の戸当り框３３の室外側面３３ａが左右一方の縦気密材４５に接して左右一方の網戸縦框４２と外障子３の戸当り框３３との間を気密し、前述の開放部から虫が室内に入り込むことを網戸４で確実に防止できる。
【００２１】
前記網戸４の左右一方の縦気密材４５は左右一方の網戸縦框４２における内側部４２ａ寄りに取付けてあるので、網戸４を左右他方の閉じ位置とした時に、その左右一方の縦気密材４５は左右他方の縦枠１３寄りに位置するから、前述のように外障子３を左右一方に向けて摺動して戸当り框３３の室外側面３３ａを左右一方の縦気密材４５に接する際に、その外障子３の摺動距離を短くできる。
【００２２】
これによって、内障子２の召合せ框２２の外側部２２ａ（左右他方の縦枠１３と対向した部分）と外障子３の戸当り框３３の外側部３３ｂ（左右他方の縦枠１３と対向した部分）との段差（左右方向の距離）Ｓを大きくできる。
したがって、外障子３の戸当り框３３の室内側面３３ｃにハンドル５を取付け、このハンドル５を持って外障子３を開閉操作するようにした場合に、そのハンドル５が内障子２の召合せ框２２の外側部２２ａと干渉することがないようにできる。
【００２３】
つまり、左右一方の網戸縦框４２の外側部４２ｄ寄りに左右一方の縦気密材４５を取付けると、図５に示すように外障子３の戸当り框３３の室外側面３３ａが左右一方の縦気密材４５に接するためには、外障子３を図５に示す位置よりも更に左右一方に摺動しなければならず、前述の段差Ｓが小さくなるので、ハンドル５が内障子２の召合せ框２２の外側部２２ａと干渉することがある。
【００２４】
この実施の形態では、図２に示すように内障子２と外障子３を閉塞位置とした時に、外障子３の召合せ框３２に取付けた召合せ気密材３５を内障子２の召合せ框２２に接して召合せ部を気密している。
そして、図５に示すように内障子２を閉鎖位置で、外障子３を開放位置とした時に、前述の召合せ気密材３５が内障子２の戸当り框２３の室外側面２３ｂに接して両者の間を気密し、その召合せ框３２と戸当り框２３との間から虫が入り込まないようにしている。
この実施の形態では内障子２を閉鎖位置で、外障子３を開放位置とした時に、内障子２の戸当り框２３と外障子３の召合せ框３２との間を、召合せ気密材３５で気密できるようにしたが、召合せ気密材３５とは別に気密材を設けて気密するようにしても良い。例えば、内障子２の戸当り框２３に気密材を室外側に向けて装着し、その気密材を外障子３の召合せ框３２の室内側面に接して気密する。
なお、図示は省略するが、内障子２を閉鎖位置で、外障子３を開放位置とした時に、内障子２の召合せ框２２と外障子３の戸当り框３３との間を気密材で気密し、その召合せ框２２と戸当り框３３との間から虫が入り込まないようにしても良い。
【００２５】
次に、前記左右一方の網戸縦框４２の具体形状を図６に基づいて説明する。
本体５０と、この本体５０の見付け方向（左右方向）一端面５０ａに見付け方向に向けて一体的に突出して設けた内向片５１と、この内向片５１の突出方向中間に、見込み方向一方に向けて一体的に設けた鉤片５２を有し、この鉤片５２と本体５０の一端面５０ａとで見込み方向一方に開口した防虫網取付用溝５３を長手方向に連続して形成している。この防虫網取付用溝５３に防虫網４４の端縁を、ゴム材質の紐状体５４によって押しつけ保持している。
前記内向片５１の突出方向中間には見込み方向他方に向いた段部５１ａを有し、この段部５１ａが網戸開閉時の手掛け部を形成している。
前記内向片５１の突出端寄りに見込み方向他方に開口した気密材取付用溝５５が長手方向に連続して形成してある。
この気密材取付用溝５５に前記左右一方の縦気密材４５が取付けてある。
前記本体５０の見付け方向他端部には、見付け方向他端面５０ｂに開口した縦溝５６を有する。
この縦溝５６が前述の縦溝４２ｂで、ブロック４２ｃが取付けてある。
【００２６】
前述の説明において、本体５０の見付け方向とは防虫網４４の張設方向で、図２に示すように窓枠１に取付けた時に左右方向に向かう方向である。そして、内向片５１の突出端面５１ｂが内側部４２ａである。
前記本体５０の見込み方向とは防虫網４４の張設方向と直角方向で、図２に示すように窓枠１に取付けた時に室内外側方向に向かう方向で、見込み方向一方とは室外に向かう方向で、見込み方向他方とは室内に向かう方向である。
【００２７】
前記左右一方の網戸縦框４２は前述の形状であるから、防虫網４４を容易に張設できるし、左右一方の縦気密材４５を簡単に取付けできる。
前記左右他方の網戸縦框４３は図２に示すように、前述の左右一方の網戸縦框４２と同一である。なお、左右他方の網戸縦框４３に取付ける左右他方の縦気密材４６は内側部寄りに取付けなくとも良いので、左右他方の網戸縦框４３は図６に示すものと異なるものでも良い。
【００２８】
前記内障子２の各框と外障子３の上框３０、下框３１、戸当り框３３は、図１、図２に示すように、金属製室外側部材６０と樹脂製室内側部材６１を備え、内障子２、外障子３を閉鎖位置とした時に室内から見ると樹脂製室内側部材６１のみが見えて金属製室外側部材６０は見えないようにしてある。
このようであるから、樹脂製室内側部材６１を木目調などの見栄えの良いものとすることと、前述のように網戸縦框４２，４３が見えないことと相俟って、内観の見栄えに良い網戸付き引違い窓とすることができる。
【図面の簡単な説明】
【００２９】
【図１】本発明の実施の形態を示す網戸付き引違い窓の縦断面図である。
【図２】本発明の実施の形態を示す網戸付き引違い窓の横断面図である。
【図３】内障子を開放位置とした状態の説明図である。
【図４】網戸を左右他方の閉じ位置に摺動した状態の説明図である。
【図５】外障子を開放位置とした状態の説明図である。
【図６】左右一方の網戸縦框の横断面図である。
【符号の説明】
【００３０】
１…窓枠、２…内障子、３…外障子、４…網戸、５…ハンドル、１０…上枠、１１…下枠、１２…左右一方の縦枠、１３…左右他方の縦枠、２０…上框、２１…下框、２２…召合せ框、２３…戸当り框、２３ａ…内側部、２４…ガラス、３０…上框、３１…下框、３２…召合せ框、３２ａ…外側部、３２ｃ…室外側面、３３…戸当り框、３３ａ…室外側面、３３ｂ…外側部、３３ｃ…室内側面、３４…ガラス、４０…網戸上框、４１…網戸下框、４２…左右一方の網戸縦框、４２ａ…内側部、４３…左右他方の網戸縦框、４３ａ…内側部、４４…防虫網、４５…左右一方の縦気密材、４６…左右他方の縦気密材、５０…本体、５１…内向片、５２…鉤片、５３…防虫網取付用溝、５５…気密材取付用溝。
【図１】
2007204927.tif 000003
【図２】
2007204927.tif 000004
【図３】
2007204927.tif 000005
【図４】
2007204927.tif 000006
【図５】
2007204927.tif 000007
【図６】
2007204927.tif 000008